(57)【要約】【課題】軽量で作業性があり、且つ安価な健康改善ブレスレッド、ないしネックレスの提供【解決手段】ブレスレッドないしネックレスのリングに中空高分子チューブを使用し、その中空内に電子挙動性の高いナノサイズの亜金属ゲルマニウム、又は酸化ゲルマニウム、又は有機ゲルマニウムを溶解分散させた水溶液、又は高分子溶液、又は高分子ゲルを充填する。【選択図】図１
0003129526.tif 000002
【実用新案登録請求の範囲】
【請求項１】
亜金属ゲルマニウム、酸化ゲルマニウム、有機ゲルマニウム、天然鉱石（ラジウム鉱石等）の少なくとも何れか一種の粒子が水又は高分子溶液、又は高分子ゲル中に溶解、分散されてなる溶液を、チューブ内に充填し、そのチューブが接続部を介してリング状に形成されていることを特徴とするブレスレッドないしネックレス。
【請求項２】
水、又は高分子溶液、又は高分子ゲル中に溶解、分散された亜金属ゲルマニウム、酸化ゲルマニウム、有機ゲルマニウムの粒子の平均粒度が、ナノメートルサイズの大きさであることを特徴とする請求項１記載のブレスレッドないしネックレス。
【請求項３】
前記記載の水が純水、または精製水であることを特徴とする請求項１のブレスレッドないしネックレス。
【請求項４】
前記記載の高分子溶液又は高分子ゲルが、分子量２以上のポリエステル、アクリル、ウレタン、メラミン、フッ素、シリコン、塩化ビニール、ポリイミド、ポリプロピレン、ナイロン、ポリエチレン、の何れか一種以上の原材料からなることを特徴とする請求項１記載のブレスレッドないしネックレス。
【請求項５】
請求項１記載のチューブ素材が、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂、の一種以上を原材料とすることを特徴とする請求項１記載のブレスレッドないしネックレス。
【考案の詳細な説明】
【考案の詳細な説明】
【技術分野】
【０００１】  本考案は手の痺れや肩こりなど、主に血行不良に起因すると考えられる症状を軽減するリングを安価に提供するものである。
【背景技術】
【０００２】  健康促進を図ったブレスレッドやネックレスは多種のものが提供されている。その主なものは素材に磁石を利用したもの、または固形上の成形ゲルマニウム粒をブテスレッドの内側に数個配置したものや、高分子樹脂に無機物粉体を練り込んだもの等である。例えば（Ａ）。身体に着用する腕輪、首輪などの装身具として、固形状の磁石の粒や、遠赤外線を放射するシリコンなどのセラミックス粒を、金属製ベルトの内側に付着したものは開示されている。（実用新案文献１参照）（Ｂ）。中心部が空洞になっている紐の空洞部にチタン素材、またはゲルマニウム素材からなる成型物を充填してなる健康リングは開示されている。（実用新案文献２）（Ｃ）．また、シリコン樹脂と、麦飯石、蛇紋岩、角閃石等の天然鉱石微粉末と、さらにコケ類植物の微粉末を混和させ、被覆用主剤とし、該被覆用主剤を永久磁石に皮膜させたチップを装着せしめたネックレスないしブレスレッドは開示されている。（実用新案文献３）
【実用新案文献】
【実用新案文献１】
登録実用新案第３０２５６４８
【実用新案文献２】
登録実用新案第３１１０９６９
【実用新案文献３】
登録実用新案第３０２１２２５
【考案の開示】
【考案が解決しようとする課題】
【０００３】  ところでこの種のリングは（イ）、多くの場合固形状の形成素材を装着、または充填しているため、比較的、重量感があり、手作業をする場合違和感を生じ、またスポーツや作業によっては、相手や対象物を傷つける恐れがある。（ロ）、また磁石などは対象物が磁気的素材で出来ている場合、磁気的障害を与えるおそれがある。（ハ）、ゲルマニウム成型粒を利用したものは比較的高価なため、数個しかリングに装着されておらず、その素材効果を充分摂取出来ていない。などの不備がある。【０００４】  本考案はかかる事情に鑑みてなされたものであり、安価で、軽量で、対象物を傷つけることがなく、且つ、装飾性を兼ね備えた健康効果の高いブレスレッドやネックレスを提供することを主たる目的とする。
【課題を解決するための手段】
【０００５】  考案者は上記課題を解決するため鋭意検討した結果、ナノサイズのゲルマニウム粒子を水ないし高分子溶液や、高分子ゲルに溶解分散させた溶液を利用することで上記課題が解決することを見出し、本考案を完成した。すなわち、半導体であるゲルマニウムの電子挙動（荷電子帯電子の放出や伝導体への電子取り込み）は、比較的低温（体温レベル）で発現し、皮膚接触により体内の電気的不具合を体外から平準化する働きがあると云われている。考案者はこの点を鑑み、より少ない原料で、より多くの電子挙動効果をうるために、ゲルマニウム粒子をナノサイズ化し、水溶液又は高分子溶液や高分子ゲルに溶解分散させることで、多くの表面電子を確保し、強い電子挙動効果（多電子効果、量子サイズ効果とも言う）を発現させ、安価で軽くて健康効果の高い商品を得ることに成功した。【０００６】  請求項１の考案は、亜金属ゲルマニウム、酸化ゲルマニウム、有機ゲルマニウムの少なくとも一種の粒子が水、又は高分子溶液、又は高分子ゲルに分散された溶液をチュウーブ内に充填密閉し、リング状に形成されていることを特徴とするブレスレッドないしネックレスに関する。【０００７】  請求項２の考案は請求項１記載の亜金属ゲルマニウム、酸化ゲルマニウム、有機ゲルマニウム、の各平均粒度が、ナノメートルサイズの大きさであることを特徴とする。【０００８】  請求項３の考案は請求項１ないし請求項２記載の亜金属ゲルマニウムや酸化ゲルマニウム、または有機ゲルマニウムが溶解分散された水が、身体に危害のない純水や精製水であることを特徴とする。【０００９】  請求項４の考案は請求項１記載の高分子溶液又は高分子ゲルが、分子量２以上のポリエステル、アクリル、ウレタン、メラミン、フッ素、シリコン、塩化ビニール、ポリイミド、ポリプロピレン、ナイロン、ポリエチレン、の少なくとも一種以上の原材料からなることを特徴とする。【００１０】    請求項５は請求項１記載の水溶液充填チューブが、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂、の一種以上を原材料とすることを特徴とする
【考案の効果】
【００１１】  本考案のブレスレッドないしネックレス装着によれば、抹消血流の増加による皮膚温上昇（データ１）健康増進に関する優れた効果を示す。合わせて溶液１ｃｃ中に混入されているゲルマニウムの量は２〜３ｍｇと少量であり、数ｇ〜数十ｇのゲルマニウム粒装着ブレスレッドに比し軽く、作業性に富み、安全でかつコストも安く提供出来る。以上の事から本考案のブレスレッドないしネックレスは、優れた健康効果、機能性、経済性を備えた、有意義な考案である。
【考案を実施するための最良の形態】
【００１２】  以下、本考案の実施形態について説明する。又図１は本発明の１例を示す実例写真図である。【００１３】  水溶液中、又は高分子溶液、又は高分子ゲル中に分散溶解しているナノサイズの亜金属ゲルマニウムは、ｐ型ゲルマニウムや、Ｎ型ゲルマニウムや、真性ゲルマニウムでも好く、ナノサイズの酸化ゲルマニウムにおいては一酸化ゲルマニウムや、二酸化ゲルマニウムでも好く、ナノサイズの有機ゲルマニウムにおいては、麗芝等天然有機ゲルマニウムや、人工のカルボキシエチル三二酸化ゲルマニウムでも好いが、中でも真性ゲルマニウムが最も好ましい。【００１４】  水溶液中、又は高分子溶液や、高分子ゲル中に分散しているナノサイズの亜金属ゲルマニウム、又は酸化ゲルマニウム、又は有機ゲルマニウムの量は、５０〜１０００ｐｐｍが好ましく、５００〜２０００ｐｐｍでも好く、２０００ｐｐｍ以上が特に好ましい。【００１５】  水溶液中、又は高分子溶液や、高分子ゲル中に分散しているナノサイズ（データ２）の亜金属ゲルマニウム、又は酸化ゲルマニウム、又は有機ゲルマニウムの平均粒度は５００〜１０００ナノメートルがよく、１００〜５００ナノメートルが更に好く、１〜１００ナノメートルが特に好ましい。【００１６】  ナノサイズの亜金属ゲルマニウムや酸化ゲルマニウム、又は有機ゲルマニウムが分散している水溶液は純水でも精製水でもよいが、最良の形態としては超純水が好ましい。【００１７】  ナノサイズの亜金属ゲルマニウムや、酸化ゲルマニウム、又は有機ゲルマニウムが分散している高分子溶液、又は高分子ゲルは、分子量２以上のポリエステル、アクリル、ウレタン、メラミン、フッ素、シリコン、塩化ビニール、ポリイミド、ポリプロピレン、ナイロン、ポリエチレン他、エチレングリコールや一般に使用されている有機溶媒等何れかが好しく、中でもシリコンが最も好ましい。【００１８】  水溶液、又は高分子溶液や、高分子ゲルが充填されているチューブの素材は、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂の何れかが好ましく、中でも特にウレタン樹脂が好ましい。【００１９】  溶液の密閉、およびリング形成方法は、溶液漏れがなく、金属アレルギー等の皮膚障害等人体や、他の物への障害がなければ特に制限するものではない。その方法の一例を図１により示す。（イ）の真鍮金具に、溶液の入ったチューブの両端を差し込み、まず密閉と一体化を図る。更にその接続部の外回りを、（ロ）のごとく同質の一回り大きい径の防護チューブで密閉カバーすることが金属アレルギーを防ぐ意味からも好ましい。
【実施例】
【００２０】  密閉、繋手として、図３の真鍮金具（イ）（外径６ｍｍ、内径３ｍｍ、中パイプの外径４ｍｍ、内径３ｍｍ）を使用。【００２１】  チューブ（ハ）にポリウレタン製の外径６ｍｍ、内径４ｍｍ、長さ２０ｃｍを使用（ネックレスの場合長さ５０ｃｍ使用）、保護チューブ（ロ）に外径８ｍｍ、内径６ｍｍ、長さ３ｃｍを使用し、まずチューブ（ハ）を保護チューブ（ロ）に挿入。次にチューブ（ハ）の一端を真鍮金具（イ）の中パイプ（ヘ）と外枠の間に挿入し、チューブ内にナノサイズの真性ゲルマニウム水溶液を充満する。次いで、チューブ（ハ）の他端を真鍮金具のもう一方の中パイプ（ヘ）と外枠の間に挿入しリングを形成する。その後チューブ（ハ）を通した保護チューブ（ロ）を真鍮金具（イ）の外回りに移動しブレスレッドを完成。
【使用効果】
【００２２】  前記ブレスレッドを片腕に装着し掌の温度上昇をサーモビュアを用い計測した。（データ１）に示すごとく、装着１５分後、皮膚温が３１．６８℃から３２．２７℃へと０．５９℃上昇し抹消血流が改善されたことが、裏付けられた。
【００２３】
【データ１】
0003129526.tif 000003
【００２４】
【データ２】
0003129526.tif 000004
【図面の簡単な説明】
【００２５】
【図１】ブレスレッドの実例写真図
【図２】マグネット金具部品図である
【図３】直結金具の部品図である
【符号の説明】
【００２６】（イ）．真鍮金具
（ロ）．保護チューブ
（ハ）．チューブ
（ニ）．ナノサイズ真性ゲルマニウム水溶液
（ホ）．マグネット
（ヘ）．中パイプ
【図１】
0003129526.tif 000005
【図２】
0003129526.tif 000006
【図３】
0003129526.tif 000007
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
ゲルマニウム、酸化ゲルマニウム、有機ゲルマニウム、の少なくとも何れか一種の粒子が水又は高分子溶液、又は高分子ゲル中に溶解、分散されてなる溶液を、チューブ内に充填し、そのチューブが接続部を介してリング状に形成されていることを特徴とするブレスレッドないしネックレス。
【請求項２】
水、又は高分子溶液、又は高分子ゲル中に溶解、分散されたゲルマニウム、酸化ゲルマニウム、有機ゲルマニウムの粒子の平均粒度が、ナノメートルサイズの大きさであることを特徴とする請求項１記載のブレスレッドないしネックレス。
【請求項３】
前記記載の水が純水、または精製水であることを特徴とする請求項１のブレスレッドないしネックレス。
【請求項４】
前記記載の高分子溶液又は高分子ゲルが、分子量２以上のポリエステル、アクリル、ウレタン、メラミン、フッ素、シリコン、塩化ビニール、ポリイミド、ポリプロピレン、ナイロン、ポリエチレン、の何れか一種以上の原材料からなることを特徴とする請求項１記載のブレスレッドないしネックレス。
【請求項５】
請求項１記載のチューブ素材が、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂、の一種以上を原材料とすることを特徴とする請求項１記載のブレスレッドないしネックレス。
【手続補正２】
【補正対象書類名】明細書
【補正対象項目名】全文
【補正方法】変更
【補正の内容】
【考案の詳細な説明】
【技術分野】
【０００１】  本発明は手の痺れや肩こりなど、主に血行不良に起因すると考えられる症状を軽減するリングを安価に提供するものである。
【背景技術】
【０００２】  健康促進を図ったブレスレッドやネックレスは多種のものが提供されている。
その主なものは素材に磁石を利用したもの、または固形上の成形ゲルマニウム粒をブテスレッドの内側に数個配置したものや、高分子樹脂に無機物粉体を練り込んだもの等である。
例えば
（Ａ）。身体に着用する腕輪、首輪などの装身具として、固形状の磁石の粒や、遠赤外線を放射するシリコンなどのセラミックス粒を、金属製ベルトの内側に付着したものは開示されている。（実用新案文献１参照）
（Ｂ）。中心部が空洞になっている紐の空洞部にチタン素材、またはゲルマニウム素材からなる成型物を充填してなる健康リングは開示されている。（実用新案文献２）
（Ｃ）．また、シリコン樹脂と、麦飯石、蛇紋岩、角閃石等の天然鉱石微粉末と、さらにコケ類植物の微粉末を混和させ、被覆用主剤とし、該被覆用主剤を永久磁石に皮膜させたチップを装着せしめたネックレスないしブレスレッドは開示されている。（実用新案文献３）
【実用新案文献１】
登録実用新案第３０２５６４８
【実用新案文献２】
登録実用新案第３１１０９６９
【実用新案文献３】
登録実用新案第３０２１２２５
【考案の開示】
【考案が解決しようとする課題】
【０００３】  ところでこの種のリングは（イ）、多くの場合固形状の形成素材を装着、または充填しているため、比較的、重量感があり、手作業をする場合違和感を生じ、またスポーツや作業によっては、相手や対象物を傷つける恐れがある。（ロ）、また磁石などは対象物が磁気的素材で出来ている場合、磁気的障害を与えるおそれがある。（ハ）、ゲルマニウム成型粒を利用したものは比較的高価なため、数個しかリングに装着されておらず、その素材効果を充分摂取出来ていない。などの不備がある。【０００４】  本発明はかかる事情に鑑みてなされたものであり、安価で、軽量で、対象物を傷つけることがなく、且つ、装飾性を兼ね備えた健康効果の高いブレスレッドやネックレスを提供することを主たる目的とする。
【課題を解決するための手段】
【０００５】  考案者は上記課題を解決するため鋭意検討した結果、ナノサイズのゲルマニウム粒子を水ないし高分子溶液や、高分子ゲルに溶解分散させた溶液を利用することで上記課題が解決することを見出し、本発明を完成した。
すなわち、半導体であるゲルマニウムの電子挙動（荷電子帯電子の放出や伝導体への電子取り込み）は、比較的低温（体温レベル）で発現し、皮膚接触により体内の電気的不具合を体外から平準化する働きがあると云われている。考案者はこの点を鑑み、より少ない原料で、より多くの電子挙動効果をうるために、ゲルマニウム粒子をナノサイズ化し、水溶液又は高分子溶液や高分子ゲルに溶解分散させることで、多くの表面電子を確保し、強い電子挙動効果（多電子効果、量子サイズ効果とも言う）を発現させ、安価で軽くて健康効果の高い商品を得ることに成功した。【０００６】  請求項１の考案は、亜金属ゲルマニウム、酸化ゲルマニウム、有機ゲルマニウムの少なくとも一種の粒子が水、又は高分子溶液、又は高分子ゲルに分散された溶液をチュウーブ内に充填密閉し、リング状に形成されていることを特徴とするブレスレッドないしネックレスに関する。【０００７】請求項２の発明は請求項１記載の亜金属ゲルマニウム、酸化ゲルマニウム、有機ゲルマニウム、の各平均粒度が、ナノメートルサイズの大きさであることを特徴とする。【０００８】  請求項３の発明は請求項１ないし請求項２記載の亜金属ゲルマニウムや酸化ゲルマニウム、または有機ゲルマニウムが溶解分散された水が、身体に危害のない純水や精製水であることを特徴とする。【０００９】  請求項４の考案は請求項１記載の高分子溶液又は高分子ゲルが、分子量２以上のポリエステル、アクリル、ウレタン、メラミン、フッ素、シリコン、塩化ビニール、ポリイミド、ポリプロピレン、ナイロン、ポリエチレン、の少なくとも一種以上の原材料からなることを特徴とする。【００１０】  請求項５は請求項１記載の水溶液充填チューブが、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂、の一種以上を原材料とすることを特徴とする
【考案の効果】
【００１１】  本考案のブレスレッドないしネックレス装着によれば、抹消血流の増加による皮膚温上昇（データ１）健康増進に関する優れた効果を示す。合わせて溶液１ｃｃ中に混入されているゲルマニウムの量は２〜３ｍｇと少量であり、数ｇ〜数十ｇのゲルマニウム粒装着ブレスレッドに比し軽く、作業性に富み、安全でかつコストも安く提供出来る。以上の事から本考案のブレスレッドないしネックレスは、優れた健康効果、機能性、経済性を備えた、有意義な考案である。
【考案を実施するための最良の形態】
【００１２】  以下、本発明の実施形態について説明する。又図１は本発明の１例を示す概略図である。【００１３】  水溶液中、又は高分子溶液、又は高分子ゲル中に分散溶解しているナノサイズの亜金属ゲルマニウムは、ｐ型ゲルマニウムや、Ｎ型ゲルマニウムや、真性ゲルマニウムでも好く、ナノサイズの酸化ゲルマニウムにおいては一酸化ゲルマニウムや、二酸化ゲルマニウムでも好く、ナノサイズの有機ゲルマニウムにおいては、麗芝等天然有機ゲルマニウムや、人工のカルボキシエチル三二酸化ゲルマニウムでも好いが、中でも真性ゲルマニウムが最も好ましい。【００１４】  水溶液中、又は高分子溶液や、高分子ゲル中に分散しているナノサイズの亜金属ゲルマニウム、又は酸化ゲルマニウム、又は有機ゲルマニウムの量は、５０〜１０００ｐｐｍが好ましく、５００〜２０００ｐｐｍでも好く、２０００ｐｐｍ以上が特に好ましい。【００１５】  水溶液中、又は高分子溶液や、高分子ゲル中に分散しているナノサイズの亜金属ゲルマニウム、又は酸化ゲルマニウム、又は有機ゲルマニウムの平均粒度は５００〜１０００ナノメートルがよく、１００〜５００ナノメートルが更に好く、１〜１００ナノメートルが特に好ましい。【００１６】  ナノサイズの亜金属ゲルマニウムや酸化ゲルマニウム、又は有機ゲルマニウムが分散している水溶液は純粋でも精製水でもよいが、最良の形態としては純水が好ましい。【００１７】  ナノサイズの亜金属ゲルマニウムや、酸化ゲルマニウム、又は有機ゲルマニウムが分散している高分子溶液、又は高分子ゲルは、分子量２以上のポリエステル、アクリル、ウレタン、メラミン、フッ素、シリコン、塩化ビニール、ポリイミド、ポリプロピレン、ナイロン、ポリエチレン他、エチレングリコールや一般に使用されている有機溶媒等何れかが好しく、中でもシリコンが最も好ましい。【００１８】  水溶液、又は高分子溶液や、高分子ゲルが充填されているチューブの素材は、ポリエステル樹脂、アクリル樹脂、ウレタン樹脂、メラミン樹脂、フッソ樹脂、シリコン樹脂、塩化ビニール樹脂、ポリイミド樹脂、ポリプロピレン樹脂、ナイロン樹脂、ポリエチレン樹脂の何れかが好ましく、中でも特にウレタン樹脂が好ましい。【００１９】  溶液の密閉、およびリング形成方法は、溶液漏れがなく、金属アレルギー等の皮膚障害等人体や、他の物への障害がなければ特に制限するものではない。その方法の一例を図１により示す。真鍮金具（イ）に、一体化された密閉栓（ヘ）に、溶液の入ったチューブ（ハ）の両端を差し込み、まず一体化を図る。更にその接続部の外回りを、図３（ロ）のごとく同質の一回り大きい径の防護チューブで密閉カバーすることが金属アレルギーを防ぐ意味からも好ましい。
【実施例】
【００２０】  密閉、繋手として、図２の真鍮金具（イ）（外径６ｍｍ、内径５ｍｍ、中パイプの外径４ｍｍ、内径３ｍｍ）を使用。【００２１】  チューブ（ハ）にポリウレタン製の外径５ｍｍ、内径４ｍｍ、長さ２０ｃｍを使用（ネックレスの場合長さ５０ｃｍ使用）、保護チューブ（ロ）に外径６ｍｍ、内径５ｍｍ、長さ３ｃｍを使用し、まずチューブ（ハ）を保護チューブ（ロ）に挿入。次にチューブ（ハ）の一端を真鍮金具（イ）の中パイプ（ヘ）と外枠の間に挿入し、チューブ内にナノサイズの真性ゲルマニウム水溶液を充満する。次いで、チューブ（ハ）の他端を真鍮金具のもう一方の中パイプ（ヘ）と外枠の間に挿入しリングを形成する。その後チューブ（ハ）を通した保護チューブ（ロ）を真鍮金具（イ）の外回りに移動しブレスレッドを完成。
【使用効果】
【００２２】  前記ブレスレッドを片腕に装着し掌の温度上昇を、サーモビュアを用い計測した。（表１）に示すごとく、装着１５分後、皮膚温が３１．６８℃から３２．２７℃へと０．５９℃上昇し抹消血流が改善されたことが、裏付けられた。
【００２３】
【表１】
0003129526.tif 000008
【図面の簡単な説明】
【００２４】
【図１】ブレスレッドの実例写真図
【図２】接続部品図
【図３】保護部品図
【符号の説明】
【００２５】（イ）真鍮金具
（ロ）保護チューブ
（ハ）チューブ
（ニ）ナノサイズ真性ゲルマニウム分散溶液の充填部分
（ホ）リング形成用マグネット
（ヘ）（イ）と一体化された密閉栓
【手続補正３】
【補正対象書類名】図面
【補正対象項目名】全図
【補正方法】変更
【補正の内容】
【図１】
0003129526.tif 000009
【図２】
0003129526.tif 000010
【図３】
0003129526.tif 000011